(57)【要約】 【課題】  障子が開いている時にハンドルを施錠位置へと回そうとても、掛け止め部材の弧状係合部の先端が相手側のクレセント受けに衝突前にハンドルの回転を阻止すること。【解決手段】  内障子に固定される台座と、この台座に軸支されたハンドルと、このハンドルと一体的に設けられ該ハンドルを施・解錠方向へ回転すると外障子に設けられたクレセント受けに係脱する掛け止め部材とを備えたクレセント錠に於いて、障子がきちんと全閉していない場合には、ハンドルが施錠位置まで回転しないように、台座側に受け部を設け、一方、前記ハンドルの基端部側に前記受け部に案内され、かつ、トリガーバネのバネ力に抗して進退動する共に、前記掛け止め部材に形成した係合部と係脱するトリガーを組み込んだこと。【選択図】  図１６
2005163428.tif 000002
【特許請求の範囲】
【請求項１】
内障子に固定される台座と、この台座に軸支されたハンドルと、このハンドルと一体的に設けられ該ハンドルを施・解錠方向へ回転すると外障子に設けられたクレセント受けに係脱する掛け止め部材とを備えたクレセント錠に於いて、前記台座側に受け部を設け、一方、前記ハンドルの基端部側にトリガーバネのバネ力に抗して進退動可能なトリガーを組み込み、該トリガーは、前記障子を開いた状態に於いて、ハンドルを施錠方向へ所定量回転した時、前記トリガーバネのバネ力により掛け止め部材の係合部に係合すると共に、前記受け部に回転が阻止され、一方、障子を閉じた状態に於いて、ハンドルを施錠方向へ回転した時、トリガーは、外障子のクレセント受けに当たることにより、前記掛け止め部材の係合部から外れて基端部の内方向へ後退し、前記掛け止め部材のクレセント受けに対する係合を許容することを特徴とするクレセント錠。
【請求項２】
請求項１に於いて、施・解錠時、トリガーはハンドルの基端部に形成された収納部に略入り込んでいることを特徴とするクレセント錠。
【請求項３】
内障子に固定される台座と、この台座に軸支されたハンドルと、このハンドルと一体的に設けられ該ハンドルを施・解錠方向へ回転すると外障子に設けられたクレセント受けに係脱する掛け止め部材とを備えたクレセント錠に於いて、前記台座の中央部の壁面にスツトパー及び案内突起を有する受け部を突設し、一方、前記ハンドルの支軸側の基端部と掛け止め部材との間に、施・解錠時、一端部がハンドル側に取付けられたトリガーバネのバネ力により基端部の内方向へ後退する反面、ハンドルを操作すると、前記トリガーバネのバネ力に抗して前記案内突起に案内されながら基端部の外方向へ進出するトリガーを組み込み、該トリガーは、前記障子を開いた状態に於いて、ハンドルを施錠方向へ所定量回転した時、前記トリガーバネのバネ力により掛け止め部材の案内切欠部の係合部に係合すると共に前記受け部のスツトパーにて回転が阻止され、一方、障子を閉じた状態に於いて、ハンドルを施錠方向へ回転した時には、トリガーは、前記案内突起に案内される途中でクレセント受けに当たることにより、前記係合部から外れて基端部の内方向へ後退し、前記掛け止め部材のクレセント受けに対する係合を許容することを特徴とするクレセント錠。
【請求項４】
請求項３に於いて、台座の受け部は、軸孔を有するお皿形態であり、また受け部のスツトパーは、トリガー可動軸と当接することができるように周壁に形成された切欠部であることを特徴とするクレセント錠。
【請求項５】
請求項３に於いて、案内突起は、トリガーの摺動突起が登り降りすることができるように山形状に形成されていることを特徴とするクレセント錠。
【請求項６】
内障子に固定される台座と、この台座に軸支されたハンドルと、このハンドルと一体的に設けられ該ハンドルを施・解錠方向へ回転すると外障子に設けられたクレセント受けに係脱する掛け止め部材とを備えたクレセント錠に於いて、障子がきちんと全閉していない場合には、ハンドルが施錠位置まで回転しないように、台座側に受け部を設け、一方、前記ハンドルの基端部側に前記受け部に案内され、かつ、トリガーバネのバネ力に抗して進退動する共に、前記掛け止め部材に形成した係合部と係脱するトリガーを組み込んだことを特徴とするクレセント錠。
【発明の詳細な説明】
【技術分野】
【０００１】
本発明は障子の框に取付けられるクレセント錠に関する。
【背景技術】
【０００２】
特許文献１には、内障子の框に固定される台座と、この台座に解錠位置から施錠位置の範囲内で回動することができるように設けられたハンドルと、このハンドルと一体的に設けられ該ハンドルを施・解錠方向へ回転すると外障子の框に設けられたクレセント受けに係脱する掛け止め部材とを備えたクレセント錠が記載されている。
【０００３】
この種のクレセント錠には、普通一般的に、台座内に施錠時に使用される補助ロック機構を設けられている。そこで、ハンドルを解錠位置から施錠位置へと略１８０度回した後に台座の室内側の側壁に見える摘みを操作すると、前記補助ロック機構のロック機構が働き、ハンドルを解錠方向へ操作することができない。
【０００４】
ところが、このような補助ロック機構が存在していても、日常生活では、ハンドルが正規の施錠位置にある場合に人々は必ず摘みを操作し、該補助ロック機構をロックするとは限らない。特に補助ロック機構をロックする生活習慣がついていない場合には、障子を開けたまま、あるいは障子を不完全に閉じた状態でハンドルを解錠位置から施錠位置へと回してしまう場合がしばしばある。このような場合（例えば外側障子又は内側障子が開いている時）に、不注意により障子を勢い良く閉めると、クレセント錠の掛け止め部材（通称、スプーン）の一部がクレセント受けに衝突し、クレセント錠を傷める危険性がある。また、外側障子又は内側障子が多少開いている時にハンドルを操作すると、途中で阻止されない限り施錠位置へと回転するから、不注意により障子がきちんと閉まった正規の位置で施錠したつもりになる恐れもあり、防犯上の問題がある。
【特許文献１】特許公開２００２−１３３３２号
【発明の開示】
【発明が解決しようとする課題】
【０００５】
本発明の第１の目的は、障子がきちんと閉まった正規の位置でないかぎり（障子が開いている場合には）、ハンドルを完全に回して施錠することができないようにすることである。また、本発明の第２の目的は、、操作性の向上を図るために、台座等との関係でハンドルの回転を阻止するトリガーを、回転中に相手側のクレセント受けに当接させ、ハンドルの基端部の内方向へ自動的に後退動させることである。さらに、本発明の第３の目的は、意匠上、悪戯等の問題点も考慮し、ハンドルの施・解錠位置に於いて、トリガーがハンドルの基端部に設けた収納部に略収まることである。その他各部材を合理的に組み合わせることである。
【課題を解決するための手段】
【０００６】
本発明のクレセント錠は、内障子に固定される台座と、この台座に軸支されたハンドルと、このハンドルと一体的に設けられ該ハンドルを施・解錠方向へ回転すると外障子に設けられたクレセント受けに係脱する掛け止め部材とを備えたクレセント錠に於いて、障子がきちんと全閉していない場合には、ハンドルが施錠位置まで回転しないように、台座側に受け部を設け、一方、前記ハンドルの基端部側に前記受け部に案内され、かつ、トリガーバネのバネ力に抗して進退動する共に、前記掛け止め部材に形成した係合部と係脱するトリガーを組み込んだことを特徴とする。
【０００７】
上記の上位概念に対する下位概念的な本発明のクレセント錠は、内障子に固定される台座と、この台座に軸支されたハンドルと、このハンドルと一体的に設けられ該ハンドルを施・解錠方向へ回転すると外障子に設けられたクレセント受けに係脱する掛け止め部材とを備えたクレセント錠に於いて、前記台座側に受け部を設け、一方、前記ハンドルの基端部側にトリガーバネのバネ力に抗して進退動可能なトリガーを組み込み、該トリガーは、前記障子を開いた状態に於いて、ハンドルを施錠方向へ所定量回転した時、前記トリガーバネのバネ力により掛け止め部材の係合部に係合すると共に、前記受け部に回転が阻止され、一方、障子を閉じた状態に於いて、ハンドルを施錠方向へ回転した時、トリガーは、外障子のクレセント受けに当たることにより、前記掛け止め部材の係合部から外れて基端部の内方向へ後退し、前記掛け止め部材のクレセント受けに対する係合を許容することを特徴とする。
【０００８】
また、本発明のクレセント錠は、内障子に固定される台座と、この台座に軸支されたハンドルと、このハンドルと一体的に設けられ該ハンドルを施・解錠方向へ回転すると外障子に設けられたクレセント受けに係脱する掛け止め部材とを備えたクレセント錠に於いて、前記台座の中央部の壁面にストッパー及び案内突起を有する受け部を突設し、一方、前記ハンドルの支軸側の基端部と掛け止め部材との間に、施・解錠時、一端部がハンドル側に取付けられたトリガーバネのバネ力により基端部の内方向へ後退する反面、ハンドルを操作すると、前記トリガーバネのバネ力に抗して前記案内突起に案内されながら基端部の外方向へ進出するトリガーを組み込み、該トリガーは、前記障子を開いた状態に於いて、ハンドルを施錠方向へ所定量回転した時、前記トリガーバネのバネ力により掛け止め部材の案内切欠部の係合部に係合すると共に前記受け部のストッパーにて回転が阻止され、一方、障子を閉じた状態に於いて、ハンドルを施錠方向へ回転した時には、トリガーは、前記案内突起に案内される途中でクレセント受けに当たることにより、前記係合部から外れて基端部の内方向へ後退し、前記掛け止め部材のクレセント受けに対する係合を許容することを特徴とする。
【発明の効果】
【０００９】
（１）外側障子又は内側障子が開いている時にハンドルを施錠位置へと回そうとても、ハンドルは所定位置にてトリガーを介してその回転が阻止される。したがって、障子がきちんと閉まった正規の位置でないかぎり（障子が開いている場合には）、ハンドルを完全に回して施錠することができないから、クレセント錠の掛け止め部材の一部がクレセント受けに衝突し、クレセント錠を傷めるという問題点を解消することができる。また、例えば本発明のクレセント錠と、信号検出手段と、入力部と、制御部と、視覚、聴覚等の認識手段を組み合わせ、障子がきちんと閉まった正規の位置か否かの信号検出乃至警報装置等に利用することができる。
【００１０】
（２）内外の障子が閉じている場合に於いて、トリガーが自動的に台座の受け部の山を登り下りするので、ハンドルを自由に施錠位置まで回転させることができる。
【００１１】
（３）前記（２）の場合に於いて、台座等との関係とハンドルの回転を阻止するトリガーを、回転中に相手側のクレセント受けに当接させ、ハンドルの基端部の内方向へ後退動させるので、したがって、操作性が良い。
【００１２】
（４）ハンドルの施・解錠位置に於いて、トリガーがハンドルの基端部に設けた収納部に略収まるので、意匠上、悪戯等の問題点を解消することができる。
【発明を実施するための最良の形態】
【００１３】
以下、図１乃至図２２に示す本発明を実施するための最良の形態により説明する。
まず、図１乃至図３を参照にして実施の環境と共に基本的構成部材を説明する。１は外障子で、この外障子１は、普通一般にガラス２、外召し合せ框３を有する。４は外障子１の外召し合せ框３の中央部の垂直端面に突出するように設けられたクレセント受けで、このクレセント受け４の突出部は鉤状に形成されている。
【００１４】
５は内障子で、この内障子５も外障子１と同様にガラス６、内召し合せ框７を有する。８は内障子５の内召し合せ框７に固定されるクレセント錠で、このクレセント錠８は、台座９、台座９に回動自在に設けられたハンドル１０、ハンドル１０と一体的に結合した掛け止め部材１１とから成り、前記掛け止め部材１１はクレセント受け４に係脱する施錠機能を有する。
【００１５】
次に、図４以降も含め、台座９と、ハンドル１０と、掛け止め部材１１と、本発明の要部であるトリガー１２について順番に説明する。なお、これらの部材９、１０、１１、１２に直接関係のない部材や機構（台座用固着具、掛け止め部材側の案内ピンや台座側の弧状細幅規制溝、施錠時の補助ロック機構など）は割愛する。
【００１６】
台座９は箱体形状に形成され、内召し合せ框７の垂直端面にクレセント受け４に対向して縦状態に固定される。図４は台座の斜視図である。図４乃至図７を参照にして台座９を説明する。９ａは中央部、９ｂ、９ｂは中央部の上下にそれぞれ段差状に連設する取付け部、９ｃ、９ｃは上下一対の取付け部にそれぞれ固定的に係合する可撓性のケースカバーである。１３は台座９の中央部９ａの外壁面に突設された受け部で、この受け部１３には、ストッパー１４及び案内突起１５がそれぞれ形成されている。
【００１７】
しかして、台座の受け部１３は、中央部に支軸１６用の軸孔１７を有するお皿形態であり、また前記ストッパー１４は、トリガー１２の可動軸の他端部と当接することができるように周壁１３ａの一部に形成された切欠部の左右の切欠端面である。
【００１８】
また前記案内突起１５は、トリガー１２の摺動突起が登り降りすることができるように前記周壁１３ａから斜め左上方向へ山形状に形成されている。
【００１９】
図５はケースカバー９ｃ、９ｃを外した台座９の正面図、図６は台座の概略断面図、図７は図５を基準にした台座の左側面図である。台座９の形態はこれらの図から明らかなので、具体的な説明を割愛する。
【００２０】
次に、図８乃至図１０を参照にしてハンドルを説明する。ハンドル１０は片手の指で操作することができるように縦長状で形成され、台座９に解錠位置から施錠位置の範囲内で回動することができるように支軸１６を介して台座の受け部１３に設けられている。
【００２１】
ハンドル１０は、トリガー１２等を収納する幅広の基端部１０ａと、この基端部１０ａからストレートに延びる操作部１０ｂとから成る。図９はハンドル１０の縦概略断面図、図１０はハンドル１０の背面（裏側）から見た説明図である。
【００２２】
ここで、図１０を参照にしてハンドルの基端部１０ａの構成を説明する。２１は基端部１０ａの端面から操作部１０ｂに向かって所要量形成された凹所状の収納部（任意形状の収納溝）で、この収納部２１にはトリガー１２及びトリガーバネ１９が収納される。
【００２３】
しかして、収納部２１の下位部分には、トリガーバネ１９の下端部等を取付けるため内部突起２２が設けられている。また、収納部２１の中央幅広部分にはトリガー１２の下端部に貫通状態に嵌装されたトリガー可動軸２０用の垂直案内部（例えば長溝）２３が形成されている。
【００２４】
さらに、収納部２１の上位幅広部分を形成する内側小突起部分２４及び外側のやや大きめの弧状部分２５には、複数個（例えば合計３個）の固着具用のメネジ２６が形成されている。
【００２５】
なお、前記弧状部分２５には、台座９の受け部１３の外壁面に形成した図示しない弧状の細幅規制溝に案内される図示しない案内ピンが突出形成されている。案内ピン、付加的な固着具用メネジ等に関しては、本発明の特定要件ではないので割愛している。
【００２６】
次に、また図８を参照にして掛け止め部材１１を説明する。掛け止め部材１１は、ハンドル１０と一体的に設けられ、該ハンドル１０を施・解錠方向へ回転すると、外障子１の框３に設けられたクレセント受け４に係脱する。本実施例の掛け止め部材１１は、複数個の固着具３０を介して前述した基端部１０ａの内壁面２７に一体的に接合固定される。
【００２７】
前記基端部１０ａの内壁面２７は、操作部１０ｂの内壁面２８よりも内側に段差状に落ち込んでいる。換言すれば、操作部１０ｂの内壁面２８の方が基端部１０ａの内壁面２７よりも台座９側に突出している。
【００２８】
しかして、３１は台座９の受け部１３側に位置し、かつ、クレセント受け４に係脱する掛け止め部である。この掛け止め部３１の軸孔を有する垂直壁３２は、台座の受け部１３の外壁面に摺接する。
【００２９】
また、掛け止め部３１の垂直壁３２と直交する弧状壁３３は、クレセント受け４の鉤部に係合可能である。一方、手前側に見える縦長状の取付けベース板３５は、前記掛け止め部３１の垂直壁３２に突起状に連設している。
【００３０】
前記取付けベース板３５の外壁面３６は、前述した固着具３０を介してハンドル１０の基端部１０ａの内壁面２７にぴったりと固定される。そこで、取付けベース板３５の上端部側には、基端部１０ａの前述した３個のメネジ２６と一致する貫通小孔３７が形成されていると共に、そのやや先細り状下端部には、基端部１０ａの内部突起２２の小径部２２ａと嵌り合う嵌合小孔３８が形成されている。
【００３１】
ところで、取付けベース板３５には、支軸１６用の角軸孔３９と長孔状案内切欠部４０がそれぞれ形成されている。ここで、取付けベース板３５等の上端部に形成された角軸孔３９との関係で、図４を参照にして掛け止め部材１１と台座９との取付け構造を説明する。
【００３２】
両者９、１１は前述した軸孔１７に嵌め込まれ、かつ、突出する角端部１６ａが取付けベース板３５の前記角軸孔３９に嵌入する支軸１６、該支軸１６の他端部に螺合する止めねじ４１、該止めねじ４１に規制された円形状の回動座４２を介して組み合わせられる。なお、支軸１６と一体の回動座４２には、図示しないハンドル用復帰バネの一端部が取付けられている。
【００３３】
また、ここで、図１１等で示すトリガー可動軸２０について説明する。該トリガー可動軸２０は、ハンドル１０の収納部２１の前述した垂直案内部２３に遊嵌合する大径の円形端部２０ａと、この円形端部２０ａの内面から水平状態に突出する係合杆部２０ｂとから構成されている。そこで、該トリガー可動軸２０との関係で、取付けベース板３５の中央部に形成された長孔状案内切欠部４０を説明する。
【００３４】
長孔状案内切欠部４０にはトリガー可動軸２０の前記係合杆部２０ｂが貫通状態に挿入される。図１４を基準にすると、長孔状案内切欠部４０は、下位の垂直孔４０ａと、この垂直孔４０ａの上端部に段差状係合部４５に連設する上位の斜孔４０ｂとから成る。
【００３５】
トリガー可動軸２０は、施・解錠時、下位の垂直孔４０ａに位置し、例えば外障子１を開いている時に不注意でハンドルを操作した時に垂直孔４０ａを上昇し、一時的に上位の斜孔４０ｂに入り込み、図１６で示すように略中間部分の段差部４５に係止される。この理由については作用の箇所で後述する。
【００３６】
次に、図１１乃至図１６を参照にしてトリガー１２について説明する。トリガー１２は、ハンドル１０の支軸側の基端部１０ａと掛け止め部材１１の取付けベース板３５との間に、施・解錠時、下端部１９ａがハンドル側の内部突起２２に取付けられたトリガーバネ１９のバネ力により基端部１０ａの内方向へ後退する反面、ハンドル１０を施錠方向又は解錠方向へ操作すると、前記トリガーバネ１９のバネ力に抗して台座９の受け部１３の案内突起１５に案内されながら前記基端部１０ａの外方向へ進出することができるように組み込まれている。トリガーバネ１９の上端部１９ｂは、トリガー１２の下端部に突設されたバネ取付け部５１に取付けられている。
【００３７】
図１３を参照にしてトリガー１２の構成を説明する。図１３を基準にした場合、トリガー１２は親指ないし人差し指状のイメージが彷彿されるように形成されている。
【００３８】
さて、５１はトリガー１２の下端部１２ａの突起部分に水平方向に突設されたバネ取付け部で、このバネ取付け部５１は、トリガー１２が基端部１０ａの収納部２１に収納された場合、図３で示すように収納部２１の内部突起２２の略真上に位置する。
【００３９】
５２は図３及び図１３で示すように前記バネ取付け部５１及び内部突起２２よりも遍芯位置の下端部に形成されたトリガー可動軸２０用の角軸孔である。トリガー可動軸２０の係合杆部２０ｂは、この角軸孔５２に突出状態に嵌挿され、台座９の受け部１３の左右のストッパー１４に当接可能である。
【００４０】
５３は上端部１２ｂの一側面に突出形成され、かつ、前記受け部１３の案内突起１５の山形状斜面１５ａ、１５ｂをスライドする摺動突起５３である。なお、本実施例のトリガー１２は、スムースに可動することができるように上端部の一側面に段差部５４を有する。
【００４１】
次に、図１４乃至図２２を参照にして作用について説明する。本発明のクレセント錠８は、障子１、５を閉めている時にハンドル１０を施錠方向へ回した場合と、一方、障子１、５を開いている時にハンドル１０を施錠方向へ回した場合とでは、トリガー１２の係止作用（ハンドル回転阻止の有無）が異なる。
【００４２】
まず、図１４はハンドル１０が解錠位置にある時、ハンドル１０、掛け止め部材１１及び台座の受け部１３に対するトリガー１２の位置を示す説明図である。
【００４３】
トリガー１２は、（ａ）ハンドル１０に対しては、基端部１０ａの収納部２１に略収納されている。したがって、外部からはトリガー１２が良く見えない。（ｂ）掛け止め部材１１に対しては、トリガーバネ１９のバネ力が作用しているため、案内切欠部４０の垂直孔４０ａにトリガー可動軸２０の係合杆部２０ｂが位置している。（ｃ）台座の受け部１３に対しては、上端部の摺動突起５３は案内突起１５の登り側傾斜面１５ａの手前に位置している。一方、トリガー可動軸２０の係合杆部２０ｂは、右側のストッパー（面）１４から離れている。
【００４４】
次に、図１５は障子を閉じた開いた状態に於いて、ハンドル１０を初期の解錠位置から施錠方向へと回した場合の説明図である。ハンドル１０を回転させると、トリガー１２はハンドルの支軸側の基端部と掛け止め部材との間に内装されていることから、摺動突起５３がトリガーバネ１９のバネ力に抗して、かつ、案内切欠部４０の垂直孔４０ａに案内されながら案内突起１５の登り側傾斜面１５ａに沿って動く。
【００４５】
したがって、トリガー１２は全体として上端部側からせり出し行く。そして、前記摺動突起５３が案内突起１５の登り側傾斜面１５ａを乗り越えると、トリガーバネ１９のバネ力は復帰方向（矢印）に常時作用していることから、トリガー可動軸２０の係合杆部２０ｂが支点的な役割を果たし、該係合杆部２０ｂが掛け止め部材の案内切欠部の段差状係合部４５に係合する。
【００４６】
つまり、トリガー１２にはトリガーバネ１９のバネ力より偏芯の力がかかるので、係合方向へと回転し、係合杆部２０ｂが前記段差状係合部４５に引っ掛かる。
【００４７】
図１６は、摺動突起５３が案内突起１５の山を登り終えたものの、まだ相手側のクレセント受け４に衝突しない段階を示す概略説明図であるが、この時、トリガー１２（トリガー可動軸２０）の突出する係合杆部２０ｂが受け部１３の右側のストッパー（面）１４に当接する。
【００４８】
図１６は、摺動突起５３が案内突起１５の山を登り終えたものの、まだ相手側のクレセント受け４に衝突しない段階を示す概略説明図である。
【００４９】
したがって、図２１で示すように、今仮に前記障子を開いた状態に於いて、ハンドルを施錠方向へ所定量回転した時、相手側に障害物（クレセント受け４）が存在しない限り、トリガー１２は前記トリガーバネのバネ力により段差状係合部４５に引っ掛かる方向に回転すると共に、係合杆部２０ｂが受け部１３の右側のストッパー（面）１４に当接するから、それ以上、ハンドル１０を施錠方向へ回転することができない。
【００５０】
つまり、障子を開いた状態でハンドル１０を施錠方向へ回転すると、トリガー１２は所定位置にて段差状係合部４５に係止され、かつ、受け部のストッパーにて回転が阻止される。したがって、図２１は図１６と同一である。
【００５１】
次に、図１７は図１６の続きである。障子を全閉状態にしてハンドル１０をさらに施錠方向へと回転し続けると、トリガー１２の摺動突起５３は案内突起１５の下り斜面１５ｂを下がり始めるが、その時、クレセント受け７に当たる。そうすると、トリガー１２が押し戻された格好になるので、段差状係合部４５から外れる。
【００５２】
そうすると、トリガー１２はトリガーバネのバネ力により下降し、ハンドル１０の収納部２１に略全体が収まる。このように、障子１，５を閉じた状態に於いて、ハンドル１０を施錠方向へ回転した時、トリガー１２は、案内突起１５の山に案内される途中でクレセント受け４に当たり、その結果、前記段差状係合部から外れて基端部１０ａの内方向へ後退し、掛け止め部材１１のクレセント受け４に対する係合を許容する（図２０）。
【００５３】
最後に図２２は、ハンドル１０を解錠方向へ戻した場合に於いて、トリガー１２が段差状係合部４５から外れる場合の一例を示す。この場合障子の全開状態、全閉状態の如何を問わない。
【００５４】
前述したように、本実施例では障子を開いた状態に於いて、ハンドル１０を施錠位置へと回そうとても、ハンドル１０の正規位置（施錠位置）までの回転がトリガー１２を介して阻止される訳であるが、この場合ハンドル１０を初期位置へ戻す途中で、トリガー１２の係合杆部２０ｂは、例えば受け部１３の他方（左側）のストッパー（面）１４に当接する。
【００５５】
これによりトリガー１２に時計方向への回転トルクが発生するため、トリガー１２は段差状係合部４５から外れる方向へ移動し、段差状係合部４５から外れると、トリガーバネのバネ力により、図１８で示すようにトリガー可動軸２０の係合杆部２０ｂは案内切欠部４０に案内されて垂直孔４０ａに落下する。したがって、トリガー１２はハンドル１０の収納部２１に略全体が収まる。
【００５６】
なお、本実施例では、ハンドル１０を施錠状態から解錠状態へ戻す時の具体的構成まで権利を請求するものではないから、上記の構成はその一例に過ぎない。したがって、例えばトリガー１２の摺動突起５３が受け部１３の下降斜面１５ｂを戻りながら登る途中、或いは受け部の山を越える途中にトリガー１２の係合杆部２０ｂが受け部１３の他方（左側）のストッパー（面）１４に当接するように構成しても良い(切欠部等の設計変更上の問題)。
【実施例】
【００５７】
トリガー１０は、本実施例では指先状に形成されているが、この形態に限定するのではなく、単純形状のスライド係合板であっても良い。
【産業上の利用可能性】
【００５８】
本発明は、建具のサッシ（障子）の框に錠前の一種として利用される。
【図面の簡単な説明】
【００５９】
図１乃至図２２は本発明の一実施例を示す各説明図。
【図１】実施の環境を示す概略説明図（障子、框等を断面にした見下し図）。
【図２】図１の矢印Ａ方向から見た実施の環境を示す説明図。
【図３】正面から見た要部の説明図（ハンドルは仮想線）。
【図４】台座を中心とする斜視からの説明図。
【図５】台座の正面図（上下のカバーは省略）。
【図６】図５の６−６線概略断面説明図。
【図７】台座の左側面図。
【図８】ハンドルと掛け止め部材を中心とする斜視からの説明図。
【図９】ハンドルの概略断面説明図。
【図１０】ハンドルの内側の構成を示す説明図。
【図１１】ハンドルとトリガーを中心とする斜視からの説明図。
【図１２】各構成部材の位置関係を示す説明図。
【図１３】トリガーの説明図。
【図１４】ハンドルが初期の解錠位置にある場合の説明図。
【図１５】障子全閉時に於いて、ハンドルを初期の解錠位置から施錠方向に所定量回した時の説明図。
【図１６】トリガーが掛け止め部材に引っ掛かった状態の説明図。
【図１７】図１６の状態からさらにハンドルを施錠方向に回転した時の説明図。
【図１８】図１７に於いて、トリガーがクレセント受けに当たった時の説明図。
【図１９】図１８に於いて、さらにハンドルを施錠方向に回転した時の説明図。
【図２０】掛け止め部材がクレセント受けに係合した施錠位置の説明図。
【図２１】障子を開いている状態でハンドルを施錠方向に所定量回転した時の説明図。
【図２２】図２１に於いて、ハンドルを初期の解錠位置へと戻す時の説明図。
【符号の説明】
【００６０】
１…外障子、３…外召し合せ框、４…クレセント受け、５…内障子、７…内召し合せ框、８…クレセント錠、９…台座、１０…ハンドル、１０ａ…基端部、１０ｂ…操作部、１１…掛け止め部材、１２…トリガー、１３…受け部、１４…ストッパー、１５…案内突起、１６…支軸、１７…軸孔、１９…トリガーバネ、２０…トリガー可動軸、２０ｂ…係合杆部、２１…収納部、２２…内部突起、２３…垂直案内部、２４…内側小突起部分、２５…弧状部分、２６…メネジ、３０…固着具、３１…掛け止め部、３２…垂直壁、３３…弧状壁、３５…取付けベース板、４０…長孔状案内切欠部、４０ａ…下位の垂直孔、４０ｂ…上位の斜孔、４５…段差状係合部。
【図１】
2005163428.tif 000003
【図２】
2005163428.tif 000004
【図３】
2005163428.tif 000005
【図４】
2005163428.tif 000006
【図５】
2005163428.tif 000007
【図６】
2005163428.tif 000008
【図７】
2005163428.tif 000009
【図８】
2005163428.tif 000010
【図９】
2005163428.tif 000011
【図１０】
2005163428.tif 000012
【図１１】
2005163428.tif 000013
【図１２】
2005163428.tif 000014
【図１３】
2005163428.tif 000015
【図１４】
2005163428.tif 000016
【図１５】
2005163428.tif 000017
【図１６】
2005163428.tif 000018
【図１７】
2005163428.tif 000019
【図１８】
2005163428.tif 000020
【図１９】
2005163428.tif 000021
【図２０】
2005163428.tif 000022
【図２１】
2005163428.tif 000023
【図２２】
2005163428.tif 000024